(57)【要約】      （修正有）【課題】持ち運びが容易で水や汚れが付着することなく衛生的で、しかも片手でロールペーパの必要な長さを簡単に切り取ることができるロールペーパ収納箱を提供する。【解決手段】ロールペーパ１０を収容する収納箱体１であって、収納箱体１の上面に蝶番５で回転可能に係止され、且つ収納箱体１に着脱可能に係止するファスナ４を具備した蓋部２と、該蓋部２に形成された開口部に傾倒可能に取り付けられたペーパ取出し口２０と、収納箱体１の両側面に張り出したガードとを有し、ペーパ取出し口２０は、ロールペーパ１０が取出し可能な間隔で対向配置された一対の板状片２２，２３と、該板状片２２，２３の先端にロールペーパ１０を切断するための鋸刃２１からなり、更にペーパ取出し口２０が傾倒した際、板状片２２，２３を元の位置に戻す復元手段２６を具備することを特徴とする。【選択図】図１
0003165921.tif 000002
【実用新案登録請求の範囲】
【請求項１】
ロール状に巻かれたロールペーパを収容する収納箱体であって、
前記収納箱体の上面に長手方向の一辺が蝶番で回転可能に係止され、且つ対向する他方の一辺に前記収納箱体に着脱可能に係止するためのファスナを具備した蓋部と、
該蓋部の中央に形成された開口部に傾倒可能に取り付けられたペーパ取出し口と、
前記収納箱体の両側面に張り出した複数のガードとを有し、
前記ペーパ取出し口は、前記ロールペーパが取出し可能な所定の間隔で対向配置された一対の板状片と、該板状片の先端に前記ロールペーパを切断するための鋸刃からなり、
更に前記ペーパ取出し口が傾倒した際、該ペーパ取出し口の前記板状片を元の位置に戻す弾性材を用いた復元手段を具備することを特徴とするロールペーパ収納箱。
【請求項２】
前記ペーパ取出し口の対向配置された一対の前記板状片は、前記ロールペーパの先端を前記蓋部の開口部にガイドするため、一方の前記板状片の下部が長く形成されていることを特徴とする請求項１記載のロールペーパ収納箱。
【請求項３】
前記収納箱体は、該収納箱体の形成された複数の折り目により折り畳み可能な構造を有することを特徴とする請求項１または請求項２記載のロールペーパ収納箱。
【考案の詳細な説明】
【技術分野】
【０００１】
本考案は、ロール状に巻かれた紙製品を収納し、ペーパ取出し口で紙の繰出しが可能で、必要な幅だけを簡単に切断することができるロールペーパ収納箱に関する。
【背景技術】
【０００２】
家庭のキッチンにおいて、下ごしらえや調理において作業台やまな板などに水分や切屑などが散乱した際、衛生的で手軽に拭き取れる使い捨て布巾としてキッチンペーパやトイレットペーパなどのロールペーパが使用されている。
【０００３】
ロール状に巻かれたキッチンペーパやトイレットペーパなどを取付けるため、図６に示すように従来はロールペーパ立て１１が利用され、ロールペーパ１０をポールに取り付けるだけで簡単にロールペーパの交換が可能で、既存のミシン目１０ａからペーパ１枚を切り取ることができる。
【０００４】
また、従来のロールペーパ立て１１に爪状のフックを装着してフックロールペーパのミシン目を引っ掛けて切り取る方法、或いはロールペーパが収められた収納箱の蓋部に設けられた紙切り歯で、ロールを押さえてロールペーパを引き切る製品が知られている。
【０００５】
また、トイレットペーパやキッチンペーパなどのロール状になったロールペーパを使用するとき、次に使用する際のペーパのつまみだしを容易にし、ロールの交換も楽で構造が簡単な価格の安い紙切り器が開示されている。（例えば、特許文献１を参照）。
【先行技術文献】
【特許文献】
【０００６】
【特許文献１】実開平５−８２３９３号公報
【考案の概要】
【考案が解決しようとする課題】
【０００７】
しかし、下ごしらえや調理において作業台やまな板などに水分や切屑などが散乱した際、手軽に拭き取れる使い捨て布巾としてキッチンペーパなどのロールペーパが使用されているが、従来のロールペーパ立ては濡れたままの手でロールペーパを切り取る際、露出したロールペーパの本体に水が付着したり、或いは汚れや埃が付着して衛生面で問題がある。
【０００８】
また、従来のロールペーパ立ては、取り付けたロールペーパから片方の手だけで必要な長さを切り取るには困難な場合がある。
【０００９】
また、収納箱に収められたロールペーパは、取出し口からロールペーパを引き出す作業が不便であり、ロールペーパを切り取った後にロールペーパの先端が取出し口から外れ、収納箱の中に落ちてしまう問題があった。
【００１０】
本考案は上述の課題に着目しなされたもので、ロールペーパを専用の収納箱に収容することで、持ち運びが容易で水や汚れが付着することなく衛生的で、簡単にロールペーパ先端をペーパ取出し口から引き出すことが可能で、ロールペーパを片手で必要な長さだけ引き出して切り取ることができるロールペーパ収納箱を提供することを目的とする。
【課題を解決するための手段】
【００１１】
本考案は上記の目的を達成するため、以下（１）〜（３）の構成を備えるものである。
【００１２】
（１）ロール状に巻かれたロールペーパを収容する収納箱体であって、前記収納箱体の上面に長手方向の一辺が蝶番で回転可能に係止され、且つ対向する他方の一辺に前記収納箱体に着脱可能に係止するためのファスナを具備した蓋部と、該蓋部の中央に形成された開口部に傾倒可能に取り付けられたペーパ取出し口と、前記収納箱体の両側面に張り出した複数のガードとを有し、前記ペーパ取出し口は、前記ロールペーパが取出し可能な所定の間隔で対向配置された一対の板状片と、該板状片の先端に前記ロールペーパを切断するための鋸刃からなり、更に前記ペーパ取出し口が傾倒した際、該ペーパ取出し口の前記板状片を元の位置に戻す弾性材を用いた復元手段を具備することを特徴とするロールペーパ収納箱。
【００１３】
（２）前記ペーパ取出し口の対向配置された一対の前記板状片は、前記ロールペーパの先端を前記蓋部の開口部にガイドするため、一方の前記板状片の下部が長く形成されていることを特徴とする前記（１）記載のロールペーパ収納箱。
【００１４】
（３）前記収納箱体は、該収納箱体の形成された複数の折り目により折り畳み可能な構造を有することを特徴とする前記（１）または（２）記載のロールペーパ収納箱。
【考案の効果】
【００１５】
本考案によれば、ロールペーパを専用の収納箱に収容することで、持ち運びが容易で水や汚れが付着することなく衛生的で、ペーパ取出し口を傾倒させることでペーパ取出し口からロールペーパの先端が繰出されるため、簡単にロールペーパを引き出して片手で必要な長さだけ切り取ることが可能なロールペーパ収納箱を提供することができる。
【００１６】
また、ロールペーパ収納箱が必要ない場合には、コンパクトに折り畳むことが可能なロールペーパ収納箱を提供することができる。
【図面の簡単な説明】
【００１７】
【図１】（ａ）ロールペーパ収納箱の斜視図、（ｂ）背面図、（ｃ）側面図
【図２】（ａ）ロールペーパ収納箱の蓋部のペーパ取出し口の構造図、（ｂ）ペーパ取出し口のロールペーパガイド機能を示す図
【図３】（ａ）クリップバネを利用した傾倒復元構造を示す図、（ｂ）クリップバネの動作を示す図、（ｃ）トーションバネを利用した傾倒復元構造を示す図
【図４】ペーパ取出し口のロールペーパ先端の繰出し動作を示す図
【図５】（ａ）ロールペーパ収納箱の折り畳み構造を示す図、（ｂ）ロールペーパ収納箱の別の折り畳み構造を示す図
【図６】従来のロールペーパ立ての構成図
【考案を実施するための形態】
【００１８】
以下、本考案を実施するための形態を、図面により詳しく説明する。
【実施例】
【００１９】
図１（ａ）は本考案に係るロールペーパ収納箱５０の斜視図で、図１（ｂ）が背面図、図１（ｃ）が側面図であり、透明或いは半透明のプラスチック材で形成された方形の箱体である。ロールペーパ収納箱５０はロールペーパ１０が収容される収納箱体１と、該収納箱体１の背面の上部には長手方向の一辺が蝶番５で係止された片開き構造の蓋部２が形成され、更に該蓋部２の中央部には長手方向の縁と平行にペーパ取出し口２０が設けられて収納箱体１に収容されたロールペーパ１０の先端を引き出すことができる。
【００２０】
蓋部２で収納箱体１の開口部を覆う際、蓋部２前縁に方形状に形成されたファスナ４はその中央に穴状に形成されたファスナ受け４ａと、該ファスナ受け４ａに対向する収納箱体１正面に形成されたファスナピン４ｂとを連結し係止される、或いはファスナ４の代わりにマグネットを用いて係止される構造であっても良い。
【００２１】
また、ペーパ取出し口２０の構造は一対の板状片の中央部を接触させて取り付けられ、その前方板状片２２と後方板状片２３の間からロールペーパ１０を引き出す構造で、両板状片の先端には安全な紙製の鋸刃２１を具備し、ロールペーパ１０を必要な長さだけ切り取ることができる。
【００２２】
更にロールペーパ１０を引き出すには、ペーパ取出し口２０に形成された牽引レバー２４を引いて傾倒させることで、僅かに露出したロールペーパ１０の先端が二枚の板状片の摺動によりロールペーパ１０が送り出される繰出し機能を利用する。この繰出し機能は、牽引レバー２４を引いてペーパ取出し口２０を傾倒させた後、牽引レバー２４を放すとクリップバネ２６などを利用した傾倒復元機能によりペーパ取出し口２０が元の位置に戻る際、前方板状片２２と後方板状片２３とが摺動してロールペーパ１０の先端を送り出す働きを利用した機能である。尚、牽引レバー２４の代わりに指でペーパ取出し口２０を傾倒させる構造であっても良い。
【００２３】
収納箱体１の中のロールペーパ１０は回転可能な状態で収容されているため、ペーパ取出し口２０からロールペーパ１０を引き出しても、抵抗を受けることなくロールペーパ１０が回転し連続して引き出すことが可能で、必要な長さに達したときペーパ取出し口２０の先端に形成された紙製の鋸刃２１に当接して、ロールペーパ１０を切り取ることができる。
【００２４】
通常、市販のロールペーパ１０には、所定の間隔でミシン目１０ａが形成され切り取りは容易であるが、必ずしも必要な長さとは成っていない。そのためロールペーパ収納箱５０のペーパ取出し口２０には、ロールペーパ１０を必要な長さに切り取るための紙製の鋸刃２１を先端部に設けてある。ペーパ取出し口２０の鋸刃２１の材質は、紙材の他にステンレスなどの金属材で形成された鋸刃であっても良い。
【００２５】
ロールペーパ収納箱５０の側面上部に設けられたガード３ａ，３ｂは、折り曲げることで収納箱１の形状を保持する機能と、誤って床などに落とした際に直接ペーパ取出し口２０が床面に当たって損傷することを防止する働きがある。
【００２６】
＜ペーパ取出し口の構造＞
図２で、ロールペーパ収納箱５０の蓋部２に形成された開口部２ａに嵌入されるペーパ取出し口２０の構造を説明する。
【００２７】
図２（ａ）及び図２（ｂ）に示すペーパ取出し口２０の構造は、柔軟性のあるプラスチック材で形成された長さの異なる前方板状片２２と後方板状片２３を対向させて配置し、後方トップ面２３ａには僅かな突起を設けるなどの滑り止め加工を施し、ロールペーパ１０を切り取った際にペーパ取出し口２０に挟まれたロールペーパ１０の先端部が落下するのを防止する。後方トップ面２３ａには牽引レバー２４が形成され、牽引することで簡単にペーパ取出し口２０を傾けることができる構造で、リング状または舌状に形成された牽引レバー２４は指先で簡単に引くことができる形状となっている。
【００２８】
また、前方板状片２２の前方トップ面２２ａは、中央部で後方板状片２３の鋸刃２１ｂと接触させ、両端部では隙間を開けるように前方トップ面２２ａの鋸刃２１ａの取付け部には反りを持たせた構造を備え、後方板状片２３の後方トップ面２３ａは水平な構造となっている。また前方板状片２２の中央部には半円状の開口部２２ｃを設けてロールペーパ１０の先端が両板状片の間から指で引き出し易い構造を備え、ロールペーパ１０の先端の通し易さと固定機能とを両立させている。そのため前方板状片２２に取り付ける鋸刃２１ａは二枚構成で、半円状の開口部２２ｃを挟んで設置されている。
【００２９】
後方板状片２３の両側に形成されたＬ字状の牽引フック２３ｃは、後方板状片２３が傾倒する際に前方板状片２２の両側の縁を摺動しながら前方板状片２２を傾倒させる働きをする。この牽引フック２３ｃに摺動されて傾倒する前方板状片２２の先端部には力が加わらないため、ロールペーパ１０を後方板状片２３の後方トップ面２３ａに残したまま先端部がずれながら牽引されるが、復元時に前方トップ面２２ａの先端部は後方トップ面２３ａに当接して摺動し、ロールペーパ１０の先端部を送り出す繰出し機能を発揮する。
【００３０】
前方板状片２２は、中央部に設けられた溝２２ｆの働きで傾倒することが可能で、前方フランジ面２２ｂが蓋部２の開口部２ａの縁に沿うように４個の固定ファスナ２５で蓋部上面に係止されている。
【００３１】
蓋部２の開口部２ａを挟んで設置された後方板状片２３は、前方板状片２２の前方トップ面２２ａと同じ高さの後方トップ面２３ａと、後方板状片２３を傾倒可能にするために形成された溝２３ｆが後方フランジ面２３ｂとの接合部に設けられ、該後方フランジ面２３ｂは４個の固定ファスナ２５で蓋部上面に係止されている。
【００３２】
また、図２（ｂ）で示すようにペーパ取出し口２０の後方板状片２３は、その下部に蓋裏の開口部２ａから突出する後方ボトム面２３ｄを形成し、該後方ボトム面２３ｄは、蓋部２を開けてロールペーパ１０を蓋裏の開口部２ａからペーパ取出し口２０へロールペーパ１０の先端を挿入する際のガイドとして機能する。またペーパ取出し口２０を傾倒させる際、後方ボトム面２３ｂが収容されているロールペーパ本体からロールペーパ１０を引き出す機能も兼ね備えている。
【００３３】
尚、後方板状片２３の後方ボトム面２３ｂのロールペーパ１０のガイド機能は、同一の機能を持たせるため後方ボトム面２３ｂを後方板状片２３から切り離し、蓋部２の裏面の開口部２ａの片方の縁に沿ってガイド面を形成した構造であっても良い。
【００３４】
＜ペーパ取出し口の傾倒復元機能＞
図３でペーパ取出し口２０の傾倒復元機能について説明する。図３には傾倒復元機能の説明を簡略にするため、ペーパ取出し口２０を構成する後方板状片２３による傾倒復元機能を述べる。
【００３５】
図３（ａ）、図３（ｂ）はクリップバネ２６を利用した傾倒復元構造とその動作を示し、図３（ｃ）はトーションバネ２７を利用した傾倒復元構造を示す構成図である。
【００３６】
図３（ａ）、図３（ｂ）のクリップバネ２６の構造は、後方フランジ面２３ｂにファスナ２５で固定された固定金具２６ｄに、その一端を円筒状に曲げた円筒部２６ｂを形成し、該円筒部２６ｂの二ヶ所に形成された傾斜溝２６ｃを介して凸形状に鋼線を曲げて形成されたアーム２６ａの両端部が嵌入されている。後方トップ面２３ａの固定部２３ｅに係止されたクリップバネ２６のアーム２６ａは、前方に傾倒する過程で両端のアーム２６ａが傾斜溝２６ｃに沿って内側に押曲げられることでアーム２６ａに抗力が発生し、アーム２６ａを元の位置に戻そうとする復元力が働く。この復元力をペーパ取出し口２０の傾倒復元機能に利用するものである。
【００３７】
図３（ｃ）のトーションバネ２７の構造は、後方トップ面２３ａの固定部２３ｅに係止されたアーム２７ａと、該アーム２７ａの途中二ヶ所を螺旋状に曲げて形成されたトーションスプリング２７ｂ、該トーションスプリング２７ｂから伸びたアーム２７ａの先端部が後方フランジ面２３ｂの固定部２３ｇに係止された構造となっている。
【００３８】
後方トップ面２３ａの固定部２３ｅに係止されたアーム２７ａを前方に傾倒する過程で、二ヶ所に形成されたトーションスプリング２７ｂが捻じられ、アーム２７ａを元の位置に戻そうとする復元力が働く。この復元力をペーパ取出し口２０の傾倒復元機能に利用するものである。
【００３９】
尚、上述の本実施例において説明した傾倒復元機能は、後方板状片２３の方向に傾ける構造で説明したが、クリップバネ２６やトーションバネ２７などの傾倒復元機能を前方板状片２２側にも設け、後方板状片２３の牽引フック２３ｃを無くした構造にして、ペーパ取出し口２０をどちらの方向にも傾倒させることができる構造であっても良く、本考案の傾倒復元機能を一方に設けるように限定するものではない。
【００４０】
＜ペーパ取出し口の繰出し機能＞
図４のペーパ取出し口２０の断面図で、ペーパ取出し口２０の傾倒動作によるロールペーパ１０の先端の繰出し機能について説明する。図４（ａ）に示すロールペーパ１０を切り取った後の状態から、指先で牽引レバー２４を引いて図４（ｂ）に示すロールペーパ取出し口２０を傾倒させると、前方板状片２２と後方板状片２３は其々のフランジ面２２ｂ，２３ｂが蓋部２上面に固定ファスナ２５で係止されているため、開口部２ａの幅に対応してロールペーパ１０を挟んだ状態で両板状片の先端部がずれながら傾倒する。
【００４１】
後方板状片２３の両側に形成されたＬ字状の牽引フック２３ｃは、前方板状片２２の両側の縁に沿って摺動しながら前方板状片２２を傾倒させる働きをし、その際に傾倒する前方板状片２２の先端部には力が加わらないため、ロールペーパ１０は滑り止め加工の施された後方トップ面２３ａと一緒に移動する。
【００４２】
ペーパ取出し口２０を傾倒させた後で指を外すと、図４（ｃ）に示すように後方トップ面２３ａの背面に取り付けられたクリップバネ２６或いはトーションバネ２７を利用した傾倒復元機能によって、ペーパ取出し口２０は元の位置に戻る。その際、前方トップ面２２ａの先端部がロールペーパ１０を後方トップ面２３ａに押し付けるようにクリップバネ２６の傾倒復元機能が作用するため、前方トップ面２２ａの先端部はロールペーパ１０を上方に押し上げるように後方トップ面２３ａを摺動することでロールペーパ１０の先端が繰出される。
【００４３】
その結果、ペーパ取出し口２０の先端には、指で摘まめる幅のロールペーパ１０の先端がせり出すため、ロールペーパ１０を引き出すのが容易となる。
【００４４】
尚、ペーパ取出し口２０の傾倒復元動作は、一対となる前方板状片２２と後方板状片２３の両方にクリップバネ２６やトーションバネ２７などの傾倒復元機能を設けることで、ペーパ取出し口２０をどちらに傾倒させても、ロールペーパ１０の先端を繰出すことができる構造であっても良い。
【００４５】
＜ロールペーパ収納箱の折り畳み機能＞
図５に示すプラスチック材で形成されたロールペーパ収納箱５０は、使用しない場合に折り目３０に沿ってコンパクトに折り畳むことが可能な構造を備えている。
【００４６】
図５（ａ）に示すロールペーパ収納箱５０の収納箱体１は、蓋部２を開けた状態でガード３ａ，３ｂ，３ｃ，３ｄの付いた両側面の中央部の折り目３０を外側に折り畳み、底板６は中央部の折り目３０を収納箱体１の内側に折り畳む構造となっている。ロールペーパ１０を収容した場合には、収納したロールペーパ１０の重みと側面の下部に形成されたガード３ｃ，３ｄを外側に折り返したことで、ガード３ｃ，３ｄは収納箱体１の側面中央の折り目３０を内側に押つける力が働く。また側面の上部に形成されたガード３ａ，３ｂは、折り目３０に沿って外側に折り返すことでガード３ｃ，３ｄと同様に側面中央の折り目３０を内側に押つけて収納箱体１の箱形状を保持している。
【００４７】
また、底面６もロールペーパ１０の重みで常に収納箱体１を外側へ押し広げる力が働くことにより、ロールペーパ収納箱５０の箱形状を保持する働きをする。
【００４８】
図５（ｂ）はロールペーパ収納箱５０の別の折り畳み構造を示し、収納箱体１の底面６の構造が底板６ａと底板６ｃとに分割され、其々の底板６ａ，６ｂの中央に形成された切込み６ｂ，６ｄを交差して接続することで、ロールペーパ収納箱５０の箱形状をより安定して保持する構造の折り畳み機能である。切込み６ｂ，６ｄを交差して接続することで収納箱体１の底板６が固定され、収納箱体１の折り目３０に沿って変形するのを防止することができる。折り畳む際は、底板６の切込み６ｂ，６ｄの接続を外して収納箱１の４辺の折り目３０から折り畳むことができる。
【００４９】
以上、本考案によればロールペーパを収納することで、見た目も良く持ち運びにも便利で、水や汚れが付着することなく衛生的であり、収納箱体の上面に形成されたペーパ取出し口の繰出し機能で簡単にロールペーパを引き出した後、ペーパ取出し口の鋸刃の働きで片手でも必要な長さを簡単に切り取ることが可能なロールペーパ収納箱を提供できる。
【００５０】
また、透明或いは半透明のプラスチック材で形成することでロールペーパの残量が確認でき、ロールペーパの交換時期の把握が容易なロールペーパ収納箱を提供することができる。
【符号の説明】
【００５１】
１      収納箱体
２      蓋部
３      ガード
４      ファスナ
５      蝶番
６      底板
１０    ロールペーパ
１０ａ  ミシン目
１１    ロールペーパ立て
２０    ペーパ取出し口
２１    鋸刃
２２    前方板状片
２３    後方板状片
２４    牽引レバー
２５    固定ファスナ
２６    クリップバネ
２７    トーションバネ
３０    折り目
５０    ロールペーパ収納箱
【図１】
0003165921.tif 000003
【図２】
0003165921.tif 000004
【図３】
0003165921.tif 000005
【図４】
0003165921.tif 000006
【図５】
0003165921.tif 000007
【図６】
0003165921.tif 000008